(57)【要約】      （修正有）【課題】各種平面又は地形に適合できる多機能支持装置を提供する。【解決手段】多機能支持装置は、複数の第１接続ユニットを設けた本体と、第２接続ユニットを設けた複数のフレキシブル延伸部と、を含み、そのうち、第２接続ユニットは、第１接続ユニットと接続することに用い、フレキシブル延伸部を本体に固定させる。【選択図】図３
0003166753.tif 000002
【実用新案登録請求の範囲】
【請求項１】
複数の第１接続ユニットを設けた本体と、
第２接続ユニットを設けた複数のフレキシブル延伸部と、
を含み、そのうち、前記第２接続ユニットは、前記第１接続ユニットと接続することに用い、前記フレキシブル延伸部を前記本体に固定させる多機能支持装置。
【請求項２】
前記少なくとも１つのフレキシブル延伸部は、固定台を設ける請求項１に記載の多機能支持装置。
【請求項３】
前記少なくとも１つのフレキシブル延伸部は、滑り止め部を設ける請求項１に記載の多機能支持装置。
【請求項４】
前記少なくとも１つのフレキシブル延伸部は、挟持部材を設ける請求項１に記載の多機能支持装置。
【請求項５】
前記少なくとも１つのフレキシブル延伸部は、照明設備を設ける請求項１に記載の多機能支持装置。
【請求項６】
前記第１接続ユニット及び第２接続ユニットは、相対する螺子孔及び螺子である請求項１に記載の多機能支持装置。
【請求項７】
前記第１接続ユニット及び第２接続ユニットは、相対して嵌合する嵌合固定構造である請求項１に記載の多機能支持装置。
【請求項８】
前記第１接続ユニット及び第２接続ユニットは、相互に吸引する磁性を有する磁石である請求項１に記載の多機能支持装置。
【請求項９】
前記多機能支持装置は、電源供給装置を更に含む請求項１に記載の多機能支持装置。
【請求項１０】
前記電源供給装置は、コンセントを設ける請求項１に記載の多機能支持装置。
【考案の詳細な説明】
【技術分野】
【０００１】
本考案は、多機能支持装置に関し、特に、フレキシブル性質を備えた多機能支持装置に関する。
【背景技術】
【０００２】
電子部材の小型化及び無線ネットワークの普及等のハイテクノロジーの発展に伴い、携帯電話、カメラ及びパソコン等を含む電子製品は、既に現代人の生活において、良く携帯される物品となっている。また、使用者が電子製品を使用する上での要求に応える各式補助製品も開発されている。
【０００３】
カメラを例とすれば、カメラで生活を記録することが既に流行となっている。この風潮の下、三脚は、良く見られる補助製品となっている。中華民国特許Ｉ３２４６６７は、カメラの三脚を開示しており、その特徴は、該三脚の支持脚において、少なくとも２本の脚の各第２伸縮部が第１軸回転接合部及び第２軸回転接合部を有し、且つ同一の第２伸縮部の第１軸回転接合部は、相対して回転し、相互に角度を形成し、これにより、該第１軸回転接合部及び第２軸回転接合部を旋転湾折し、該脚構造は、資料を撮影する状態のカメラが安定な固定された支持を得られるように支えることに用いることができる。中華民国特許Ｍ３６７２７３は、フレキシブル支持脚を有する脚構造を開示しており、フレキシブル支持脚とは、該支持脚がフレキシブルな金属線、金属線外に被せられる軟性カバーを含み、また、該支持脚は、１つ以上の吸盤を設け、これにより、該フレキシブル支持脚の脚構造は、使用者に天井にカメラ等の電子機器を固定させることができ、フレキシブル支持脚を任意に湾折でき、脚構造をその他の物体上に載置、巻き付け、又は吸着させることができる。
【０００４】
パソコンを例にすれば、技術の進歩に伴い、タブレットＰＣは、既に続々と世に出ている。タブレットＰＣは、体積が小さく携帯に便利であるという利点により、使用者が使用したい箇所で且つ場所の拘束を受けずにタブレットＰＣを使用する需要に応じ、近い将来に様々な補助製品が必要とされ、例えば、中華民国特許Ｍ３７７５１７は、タブレットＰＣの支持構造を開示しており、それは、一般のタブレットＰＣ支持構造に良く見られる構造形態であり、使用者が角度を変えてタブレットＰＣを使用することに便利である。該タブレットＰＣ支持構造の利点は、その脚構造が自動で閉じる時、回収速度を緩やかにした支持構造により使用者が挟んで傷つくことを回避する。
【０００５】
しかしながら、現在の脚支持構造又は支持構造は、使用上依然として完全でなく、その主要な原因は、それが、全ての地形又は平面に適用できず、全ての使用者が望む使用角度に適合できず、機能が単一で携帯価値が低い等の不足の箇所にあり、結果として、現在依然として完全な脚構造又は支持装置が見られない。
【先行技術文献】
【特許文献】
【０００６】
【特許文献１】中華民国特許Ｉ３２４６６７号明細書
【特許文献２】中華民国特許Ｍ３６７２７３号明細書
【特許文献３】中華民国特許Ｍ３７７５１７号明細書
【考案の概要】
【考案が解決しようとする課題】
【０００７】
本考案の目的は、フレキシブルな材質の運用により、略全ての地形又は平面に適合可能な多機能支持装置を提供することである。
【０００８】
本考案のもう１つの目的は、統合性を有する本体を含む多機能支持装置を提供し、該支持装置が更に多くの機能を提供し、該支持装置の携帯価値を向上することにある。
【課題を解決するための手段】
【０００９】
以上の目的を達成するため、本考案が提供する多機能支持装置は、複数の第１接続ユニットを設けた本体と、第２接続ユニットを設けた複数のフレキシブル延伸部と、を含み、そのうち、前記第２接続ユニットは、前記第１接続ユニットと接続することに用い、前記フレキシブル延伸部を前記本体に固定させる。
【００１０】
好適には、前記少なくとも１つのフレキシブル延伸部は、固定台を設ける。
【００１１】
好適には、前記少なくとも１つのフレキシブル延伸部は、滑り止め部を設ける。
【００１２】
好適には、前記少なくとも１つのフレキシブル延伸部は、挟持部材を設ける。
【００１３】
好適には、前記少なくとも１つのフレキシブル延伸部は、照明設備を設ける。
【００１４】
好適には、前記第１接続ユニット及び第２接続ユニットは、相対する螺子孔及び螺子である。
【００１５】
好適には、前記第１接続ユニット及び第２接続ユニットは、相対して嵌合する嵌合固定構造である。
【００１６】
好適には、前記第１接続ユニット及び第２接続ユニットは、相互に吸引する磁性を有する磁石である。
【００１７】
好適には、前記多機能支持装置は、電源供給装置を更に含む。
【００１８】
好適には、前記電源供給装置は、コンセントを設ける。
【考案の効果】
【００１９】
上記のように、本考案は、多機能支持装置を提供し、該多機能支持装置の本体は、複数の第１接続ユニットを設け、該複数の第１接続ユニットにより、前記本体は、複数の該第１接続ユニットと第２接続ユニットを接合するフレキシブル延伸部を組み合わせることができ、これにより、各種平面又は地形に適合できる目的を達成し、多種の装置を結合でき、該多機能支持装置の携帯価値を向上することができる。
【図面の簡単な説明】
【００２０】
【図１Ａ】本考案の多機能支持装置の本体が球体である実施形態を示す図である。
【図１Ｂ】本考案の多機能支持装置の本体が三角錐である実施形態を示す図である。
【図１Ｃ】本考案の多機能支持装置の本体が四方体である実施形態を示す図である。
【図２Ａ】本考案の固定台を設けたフレキシブル延伸部を示す図である。
【図２Ｂ】本考案の固定台を設けたフレキシブル延伸部を示す図である。
【図２Ｃ】本考案の滑り止め部を設けたフレキシブル延伸部を示す図である。
【図２Ｄ】本考案のフック部材を設けたフレキシブル延伸部を示す図である。
【図２Ｅ】本考案の照明設備を設けたフレキシブル延伸部を示す図である。
【図３】本考案の多機能支持措置の実施例である。
【図４】本考案の多機能支持装置の他の実施例である。
【図５】本考案の多機能支持装置の更に他の実施例である。
【考案を実施するための形態】
【００２１】
本考案は、多機能支持装置に関し、それは、複数の第１接続ユニットを設けた本体と、第２接続ユニットを設けた複数のフレキシブル延伸部と、を含み、前記第２接続ユニットは、前記第１接続ユニットと接続することに用い、前記フレキシブル延伸部を前記本体に固定させる。
【００２２】
本考案が記載する本体は、任意の形状であることができ、例えば、球体、四方体、多角錘、三角柱体、円柱体であるが、これに制限するものではない。本考案が記載する第１接続ユニット及び第２接続ユニットは、相対して固定可能な構造であり、これに制限するものではないが、相対する螺子孔と螺子、相対して嵌合する嵌合固定構造又は相互に吸引する磁性を有する磁石を含み、これに基づき、当業者は、相対して固定することが可能な異なる構造を設計することができ、何れも本考案の範疇に属するべきものである。
【００２３】
以下は、異なる実施形態により図面に併せて本考案の技術的特徴を説明するがこれに限定するものではない。
【００２４】
図１Ａ〜図１Ｃは、本考案の多機能支持装置の３つの実施形態を示す図であり、図から分かるように、該多機能支持装置１００は、本体１０１（１０２又は１０３）及び複数のフレキシブル延伸部１０６を含む。前記本体１０１，１０２，１０３は、それぞれ球体（図１Ａ）、三角錐（図１Ｂ）又は四方体（図１Ｃ）であり、且つ何れも複数の第１接続ユニット１０４を設ける。前記複数のフレキシブル延伸部１０６は、第２接続ユニット１−５を設け、且つ各前記第１接続ユニット１０４は、何れも前記第２接続ユニット１０５と結合でき、前記フレキシブル延伸部を前記本体１０１（１０２又は１０３）に固定させる。そのうち、第１Ａ〜図１Ｃの実施形態において、前記第１接続ユニット１０４及び前記第２接続ユニット１０５は、相対する螺子孔及び螺子である。
【００２５】
図２Ａ〜図２Ｅにおいて、本考案が記載するフレキシブル延伸部１０６の一端は、要求に応じ、固定台１１０，１２０（図２Ａ、図２Ｂ）、滑り止め部１３０（図２Ｃ）、挟持部材１４０（図２Ｄ）、又は照明設備１５０（図２Ｅ）を設けることができ、他端は、前記第１接続ユニット（図示せず）と接続する螺子（即ち、第２接続ユニット１０５）を設ける。
【００２６】
図２Ａを参照し、前記固定台１１０は、吊り下げ固定台であり、該吊り下げ固定台は、螺子１１１を設け、該螺子１１１は、カメラを螺合することに用いる（図示せず）。図２Ｂにおいて、前記固定台１２０は、固定部材１２１を設けた平板１２２であり、該平板１２２は、タブレットＰＣ又は電子書籍（図示せず）を係止することに用い、該固定部材１２１により安置したタブレットＰＣが滑り落ちないように確保する。図２Ｂ中の固定部材１２１は伸縮縄であり、タブレットＰＣ又は電子書籍の四隅を固定できる。しかしながら、前記固定部材の形態が制限する必要が無く、当業者は、任意のその他の形態の固定部材を採用することができ、安置した物体（例えば、タブレットＰＣ又は電子書籍）が滑り落ちないよう確保する目的を達成する。
【００２７】
図２Ｃを参照し、前記滑り止め部１３０は、球体であり、該球体は、高摩擦力の表面を設ける。該滑り止め部１３０のフレキシブル延伸部１０６は、前記第１接続ユニットと前記第２接続ユニット１０５の結合により前記本体の上に固定し、脚構造として使用する。図１に示すように、図中、該本体１０１，１０２，１０３は、それぞれ滑り止め部１３０を設けた３つ、３つ及び４つのフレキシブル延伸部１０６を固定し、該複数の滑り止め部１３０を設けた複数のフレキシブル延伸部１０６の多点の支持により、本考案の多機能支持装置を安定させることができる。
【００２８】
図２Ｄにおいて、前記挟持部材１４０は、２つの相対して挟み合う挟持部を設け、該挟持部１４０は、２つの相対して噛み合う挟持部によりシート（付箋）、小型ファン、タッチペン等の物品（図示せず）を挟持することができる。図２Ｅを参照し、前記照明設備１５０は、電池により電力を提供することができ、又は、本考案の多機能支持装置が更に含む電源供給装置と、電気接続することができる。前記照明設備１５０は、使用者にタブレットＰＣ又は電子書籍を使用時に必要な照明を提供するか、使用者にカメラを使用時に簡易なフラッシュ設備とすることができる。
【００２９】
図３を参照し、本考案の多機能支持装置１００の本値亜１０１は、球体であり、第１接続ユニット１０４及び第２接続ユニット１０５により複数のフレキシブル延伸部１０６に接続する。そのうち、前記第１接続ユニット１０４及び前記第２接続ユニット１０５は、２つの磁性が相互に吸引する強力な磁石である。そのうち、該本体１０１は、滑り止め部１３０を設けた３つのフレキシブル延伸部１０６を接続し、支持脚とし、固定台１２０を設けたフレキシブル部１０６を接続し、タブレットＰＣ（図示せず）を安置させる。図から分かるように、前記滑り止め部１３０を設けたフレキシブル延伸部１０６は、湾曲して安置できるので、全体の多機能支持装置１００の安定性を向上することができ、多機能支持装置１００の高さを簡易に調整することもでき、使用者の使用の要求に適合する。また、前記本体１０１は、その他の使用していない第１接続ユニット１０４を利用し、固定台１２０を設けたフレキシブル延伸部１０６を接続し、他のタブレットＰＣ（図示せず）を安置させ、これにより両者を使用者に同時に使用させることができる。
【００３０】
図４を参照し、本考案の多機能支持装置１００の本体１０１は、滑り止め部１３０を設けた３つのフレキシブル延伸部１０６を接続し、支持脚とする。そのうち、フレキシブル部１０６及び本体１０１は、相対して螺合する螺子孔（即ち、第１接続ユニット１０４）及び螺子（即ち、第２接続ユニット１０５）により接続する。該本体１０１は、吊り下げ固定台１１０を設けたフレキシブル延伸部１０６を接続し、吊り下げ固定台１１０は、カメラ１６０を装着する。また、該本体１０１は、更に照明設備１５０を設けたフレキシブル延伸部１０６を接続し、該照明設備１５０は、電池により電力を供給する光源である。図から分かるように、本考案の多機能支持装置１００により、使用者は、撮影する角度を容易に変化でき、例えば、図中のカメラ１６０は、湾曲したフレキシブル延伸部１０６により、角度を変えて撮影できる。また、該照明設備１５０の組み合わせにより、撮影中の光線が良好でない問題を補うことができる。
【００３１】
図５を参照し、本考案の多機能支持装置１００の本体１０１は、滑り止め部１３０を設けた４つのフレキシブル延伸部１０６を接続し、支持脚とする。そのうち、前記フレキシブル部１０６及び本体１０１は、相対して螺合する螺子孔及び螺子（図示せず）により接続する。該本体１０１は、固定台１２０を設けたフレキシブル延伸部１０６及び嵌合部材１４０を設けたフレキシブル延伸部１０６を接続する。該固定台１２０は、タブレットＰＣを安置することに用いることができる。該挟持部材１４０は、付箋を挟持することに用いることができる。図から分かるように、使用者は、該フレキシブル延伸部１０６により、本考案の多機能支持装置１００を物体１９０（例えば、ソファーの肘置き）上に巻きつけ、より多くの状況及び地形に適用することができる。また、該多機能支持装置１００は、電源供給装置１７０（プラグ）、及び該電源供給装置１７０と電気接続するコンセント１８０を設け、タブレットＰＣが充電を必要とする時、使用者がプラグを電源に接続でき、タブレットＰＣの充電器を該コンセント１８０に接続し、充電を行なうことができる。
【００３２】
結論として、本考案の多機能支持装置は、本体及び該本体と自由に組み合わせでき、且つ各式機能を備えるフレキシブル延伸部を設置することにより、従来の支持装置の使用価値を大幅に向上する。
【符号の説明】
【００３３】
１００  多機能支持装置
１０１，１０２，１０３  本体
１０４  第１接続ユニット
１０５  第２接続ユニット
１０６  フレキシブル延伸部
１１０  固定台
１２１  固定部材
１２２  平板
１３０  滑り止め部
１４０  挟持部材
１４０  照明設備
１６０  カメラ
１７０  電源供給装置
１８０  コンセント
１９０  物体
【図１Ａ】
0003166753.tif 000003
【図１Ｂ】
0003166753.tif 000004
【図１Ｃ】
0003166753.tif 000005
【図２Ａ】
0003166753.tif 000006
【図２Ｂ】
0003166753.tif 000007
【図２Ｃ】
0003166753.tif 000008
【図２Ｄ】
0003166753.tif 000009
【図２Ｅ】
0003166753.tif 000010
【図３】
0003166753.tif 000011
【図４】
0003166753.tif 000012
【図５】
0003166753.tif 000013
【手続補正書】
【提出日】平成23年1月19日(2011.1.19)
【手続補正１】
【補正対象書類名】実用新案登録請求の範囲
【補正対象項目名】全文
【補正方法】変更
【補正の内容】
【実用新案登録請求の範囲】
【請求項１】
複数の第１接続ユニットを設けた本体と、
第２接続ユニットを設けた複数のフレキシブル延伸部と、
を含み、そのうち、前記第２接続ユニットは、前記第１接続ユニットと接続することに用い、前記フレキシブル延伸部を前記本体に固定させる多機能支持装置。
【請求項２】
前記少なくとも１つのフレキシブル延伸部は、固定台を有する請求項１に記載の多機能支持装置。
【請求項３】
前記少なくとも１つのフレキシブル延伸部は、滑り止め部を有する請求項１に記載の多機能支持装置。
【請求項４】
前記少なくとも１つのフレキシブル延伸部は、挟持部材を有する請求項１に記載の多機能支持装置。
【請求項５】
前記少なくとも１つのフレキシブル延伸部は、照明設備を有する請求項１に記載の多機能支持装置。
【請求項６】
前記第１接続ユニット及び第２接続ユニットは、相対する螺子孔及び螺子である請求項１に記載の多機能支持装置。
【請求項７】
前記第１接続ユニット及び第２接続ユニットは、相対して嵌合する嵌合固定構造である請求項１に記載の多機能支持装置。
【請求項８】
前記第１接続ユニット及び第２接続ユニットは、相互に吸引する磁性を有する磁石である請求項１に記載の多機能支持装置。
【請求項９】
前記多機能支持装置は、前記本体に電源供給装置を更に含む請求項１に記載の多機能支持装置。
【請求項１０】
前記電源供給装置は、プラグであることを特徴とする請求項９に記載の多機能支持装置。